(57)【特許請求の範囲】
【請求項１】
粘弾性を有する人工唇と、
前記人工唇を保持し、本体筒部に対して着脱自在に取り付けられる取付部と、を備え、
前記取付部が、前記人工唇を前記本体筒部に取り付けられたリードに押し付ける押付部と、前記人工唇を前記リードの外側面側から覆って演奏者の唇と前記人工唇との間に介在するカバー部と、を備えるアタッチメント。
【請求項２】
前記押付部は、前記人工唇の互いに異なる部分を、互いに異なる押付力で前記リードに押し付ける複数の分割押付部を備える請求項１に記載のアタッチメント。
【請求項３】
前記押付部が、前記人工唇を前記リードに押し付ける押付力を調整する調整部を備える請求項１又は請求項２に記載のアタッチメント。
【請求項４】
前記調整部が、演奏者の唇又は歯によって前記押付力を調整操作する操作部を備える請求項３に記載のアタッチメント。
【請求項５】
前記取付部が、前記本体筒部を覆う筒状に形成され、
前記取付部の内周面が、前記本体筒部の外形に対応するテーパー状に形成されている請求項１から請求項４のいずれか一項に記載のアタッチメント。
【請求項６】
本体筒部と、
前記本体筒部に取り付けられたリードと、
粘弾性を有する人工唇と、
前記人工唇を前記リードに押し付ける押付部と、
前記人工唇を前記リードの外側面側から覆って演奏者の唇と前記人工唇との間に介在するカバー部と、を備えるマウスピース。
【発明の詳細な説明】
【技術分野】
【０００１】
本発明は、リード楽器用のマウスピース、及び、マウスピースに取り付けられるアタッチメントに関する。
【背景技術】
【０００２】
サクソフォン、クラリネット、オーボエ等のリード楽器は、マウスピースに備える一枚又は二枚のリードを振動させることで発音する。
特許文献１には、シングルリード楽器用のマウスピースにおいて、一枚のリードをマウスピース本体（本体筒部）に取り付けるリガチャーをアルミニウム材によって構成することが開示されている。特許文献１のリガチャーを備えるシングルリード楽器では、発音が難しい音階（特定の音階）を容易に発音することができる。
【先行技術文献】
【特許文献】
【０００３】
【特許文献１】特開２０１２―２２０５５号公報
【発明の概要】
【発明が解決しようとする課題】
【０００４】
ところで、リード楽器を演奏する際には、リードを適切に振動させる必要がある。このため、演奏者は、自身の唇をリードの外側面の適切な位置及び範囲に押し付ける必要がある。しかしながら、リード楽器の演奏に不慣れな初心者等は、唇をリードの外側面の適切な位置や範囲に押し付けることが難しく、結果として、リード楽器を演奏できないことが多い。
【０００５】
本発明は、上述した事情に鑑みてなされたものであって、初心者であってもリード楽器を容易に演奏可能なマウスピースを提供することを目的とする。
【課題を解決するための手段】
【０００６】
本発明は、本体筒部と、本体筒部に取り付けられたリードと、粘弾性を有する人工唇と、前記人工唇を前記リードに押し付ける押付部と、前記人工唇を前記リードの外側面側から覆って演奏者の唇と前記人工唇との間に介在するカバー部と、を備えるマウスピースを提供する。
【０００７】
また、本発明は、粘弾性を有する人工唇と、前記人工唇を保持し、本体筒部に対して着脱自在に取り付けられる取付部と、を備え、前記取付部が、前記人工唇を前記本体筒部に取り付けられたリードに押し付ける押付部と、前記人工唇を前記リードの外側面側から覆って演奏者の唇と前記人工唇との間に介在するカバー部と、を備えるアタッチメントを提供する。
【発明の効果】
【０００８】
本発明によれば、演奏に際して押えるべきリードの外側面の適切な位置や範囲を、リードに押し付けられた人工唇によって設定できる。また、リードに押し付けられた人工唇の弾性を利用することでリードを適切に振動させることができ、人工唇の粘性を利用することでリードの振動を適切に減衰させることができる。したがって、初心者等であっても容易にリード楽器を演奏することが可能となる。
【図面の簡単な説明】
【０００９】
【図１】本発明の第一実施形態に係るマウスピースを示す断面図である。
【図２】本発明の第二実施形態に係るマウスピースを示す断面図である。
【図３】本発明の第三実施形態に係るマウスピースを示す断面図である。
【図４】本発明の第四実施形態に係るマウスピースを示す断面図である。
【図５】本発明の他の実施形態に係るマウスピースを示す側面図である。
【図６】図５のマウスピースを示す断面図である。
【図７】本発明の他の実施形態に係るマウスピースを示す断面図である。
【発明を実施するための形態】
【００１０】
〔第一実施形態〕
以下、図１を参照して本発明の第一実施形態について説明する。
本実施形態に係るマウスピース及びアタッチメントは、シングルリードのリード楽器に用いられる。
図１に示すように、マウスピース１は、筒状に形成されたマウスピース本体（本体筒部）２と、マウスピース本体２に取り付けられたリード３及びアタッチメント４と、を備える。
【００１１】
マウスピース本体２の軸方向の第一端部５は、円筒状に形成され、リード楽器の管体（不図示）に接続される。演奏者が口で咥えるマウスピース本体２の第二端部６は、第一端部５と比較して偏平な筒状に形成されている。具体的に、マウスピース本体２の第二端部６は、マウスピース本体２の第一端部５から離れるにしたがって後述するリード３の板厚方向（図１において上下方向）における厚さ寸法が小さくなるように形成されている。すなわち、マウスピース本体２の第二端部６は、図１のようにマウスピース１を側方から見た断面視でテーパー状に形成されている。
マウスピース本体２は、第二端部６側において下側に向けて開口している。マウスピース本体２の第二端部６側の開口は、リード３と共に演奏者が息を吹き込むための吹込み口７を構成する。
マウスピース本体２は、従来の構成のものを使用することができる。
【００１２】
リード３は、平面視長方形の板状に形成されている。以下の説明においては、リード３の長辺に沿う方向（図１において左右方向）をリード３の長手方向と呼ぶ。
リード３がマウスピース本体２に取り付けられた状態では、リード３の板厚方向の一方の面（以下、内側面１０ａと呼ぶ）が、マウスピース本体２に対向する。リード３の板厚方向の他方の面（以下、外側面１０ｂと呼ぶ）は、マウスピース本体２の外側を向く。
【００１３】
リード３は、リガチャー（不図示）によってマウスピース本体２の第一端部５に固定される固定部８、及び、固定部８から延びて形成された振動部９を有する。固定部８と振動部９とは、リード３の長手方向に配列されている。
固定部８におけるリード３の内側面１０ａの領域は、マウスピース本体２の第一端部５に面接触するように形成されている。固定部８におけるリード３の板厚は、リード３の長手方向において一定である。
【００１４】
振動部９は、リード３がマウスピース本体２に取り付けられた状態で、マウスピース本体２の第二端部６側の開口に対向して配される。振動部９は、演奏者がマウスピース本体２と振動部９との間（吹込み口７）からマウスピース本体２内に息が吹き込まれた際に、主に固定部８に対して主にリード３の板厚方向に撓むように振動する。
振動部９におけるリード３の内側面１０ａの領域は、例えば平坦面に形成され、固定部８におけるリード３の内側面１０ａの領域に滑らかに繋がっている。振動部９におけるリード３の外側面１０ｂの領域には、リード３の長手方向において固定部８から離れるにしたがってリード３の板厚を減少させるバンプが形成されている。
【００１５】
リード３の材料としては、例えば木質材料、樹脂材料等が挙げられる。木質材料としては、葦（ケーン）材が一般的であり、他にも例えば木材、竹材等が使用可能である。樹脂材料としては、例えばポリプロピレンが使用可能である。他にも、例えば樹脂に木繊維や竹繊維が含まれる複合材料等もリード３を形成する材料として使用することができる。
ただし、本実施形態のマウスピース１では、後述するように、演奏者の口がリード３に触れない。このため、リード３の材料としては、リード楽器の演奏に際して唾液等の水分を必要とする木質材料よりも、水分を必要としない樹脂材料を使用することが好ましい。
【００１６】
アタッチメント４は、上記したマウスピース本体２に対して着脱自在に取り付けられる。アタッチメント４は、人工唇１１と、取付部１２と、を備える。
【００１７】
人工唇１１は、粘弾性（粘性及び弾性）を有し、リード３の外側面１０ｂに接触する。人工唇１１は、人間の唇と同等又は近い粘弾性を有する。人工唇１１の素材としては、例えば人間の唇の柔らかさ（硬度）と同等又は近いウレタンゲルなどが使用可能である。人工唇１１は、振動部９におけるリード３の外側面１０ｂの領域に接触している。
リード３の外側面１０ｂに対する人工唇１１の接触位置や範囲（接触面積）は、演奏時においてリード３の振動部９が適切に振動するように設定されている。人工唇１１の接触位置や範囲（接触面積）は、人工唇１１の形状や大きさ、後述する取付部１２において人工唇１１が配される位置によって設定することができる。
本実施形態において、人工唇１１は板状に形成されている。人工唇１１は、その板厚方向がリード３の板厚方向に一致するように、リード３の外側面１０ｂに重ねて配される。
【００１８】
取付部１２は、人工唇１１を保持し、人工唇１１がリード３の外側面１０ｂに接触するようにマウスピース本体２に対して着脱自在に取り付けられる。
本実施形態において、取付部１２は、マウスピース本体２の第二端部６及びリード３の振動部９を覆う筒状に形成されている。
【００１９】
取付部１２の内周面は、マウスピース本体２の第二端部６及びこれに取り付けられたリード３の振動部９を含む外形に対応する形状に形成されている。本実施形態において、取付部１２の内周面は、リード３の板厚方向における取付部１２の内側の寸法が、取付部１２の第一開口１３から第二開口１４に向かうにしたがって小さくなるように形成されている。すなわち、取付部１２の内周面は、図１のように取付部１２を側方から見た断面視でテーパー状に形成されている。
取付部１２の第一開口１３は、マウスピース本体２の第二端部６及びリード３の振動部９を取付部１２に挿入する入口である。取付部１２の第二開口１４は、取付部１２をマウスピース本体２に取り付けた状態において、マウスピース本体２とリード３の振動部９との間の吹込み口７に連なるように配される。すなわち、取付部１２の第二開口１４は、息を吹込み口７に向けて吹き込む入口をなす。
取付部１２の外周面は、演奏者が口で取付部１２を咥え易いように取付部１２の内周面に相似する形状に形成されている。
【００２０】
取付部１２には、その内周面から窪む収容凹部１５が形成されている。収容凹部１５は、内周面のうちリード３の外側面１０ｂに対向する領域（対向領域）に形成されている。収容凹部１５には、人工唇１１が収容される。これにより、人工唇１１が取付部１２に保持される。人工唇１１が収容凹部１５に収容された状態では、人工唇１１の一部が取付部１２の内周面から突出する。本実施形態では、収容凹部１５の底面１６が平坦に形成されている。
【００２１】
本実施形態の取付部１２のうち第二開口１４側の端部には、取付部１２の内周面から内側に突出する規制突起１７が設けられている。規制突起１７には、取付部１２に対するマウスピース本体２の挿入方向（図１において左方向）におけるマウスピース本体２の先端部分が当たる。すなわち、規制突起１７は、挿入されたマウスピース１及びこれに取り付けられたリード３）が取付部１２内において所定の位置よりも挿入方向に進行することを規制する。これにより、取付部１２をマウスピース本体２に対して位置決めすることができる。
【００２２】
本実施形態の取付部１２の内周面には、アタッチメント４をマウスピース本体２及びリード３に取り付けた状態で、取付部１２の内周面とマウスピース１及びリード３との隙間を塞ぐリング状の閉塞部材１８が設けられている。閉塞部材１８は、例えば弾性を有するゴム等の弾性部材であってよい。閉塞部材１８は、取付部１２の第二開口１４から取付部１２内に吹き込まれたエアーが、マウスピース１やリード３と取付部１２の内周面との隙間を通って取付部１２の第一開口１３から外部に漏れることを防ぐ。
図示例において、閉塞部材１８は、人工唇１１と干渉しないように取付部１２のうち第一開口１３側の端部に設けられているが、これに限ることはない。
【００２３】
本実施形態の取付部１２は、人工唇１１をリード３に押し付ける押付部２０を含んでいる。
具体的に説明すれば、本実施形態では、マウスピース本体２の第二端部６及び取付部１２の内周面が、互いに対応するテーパー状に形成されている。また、取付部１２の対向領域から突出する人工唇１１の突出長さが、取付部１２の対向領域とリード３の外側面１０ｂとの間隔よりも大きく設定されている。このため、マウスピース本体２の第二端部６及びこれに取り付けられたリード３の振動部９を取付部１２の内側に挿入した状態では、取付部１２（特に収容凹部１５の底面１６をなす取付部１２の部位）が、人工唇１１をリード３の振動部９に押し付ける。すなわち、本実施形態では、取付部１２のうち収容凹部１５の底面１６をなす部位が、押付部２０の要部を構成している。
また、収容凹部１５の底面１６は、人工唇１１をリード３に押し付ける押付部２０の押付面となっている。本実施形態では、収容凹部１５の底面１６が平坦に形成されているため、押付部２０は、リード３の長手方向の位置に関わらず、人工唇１１を同等な圧力でリード３に押し付ける。
【００２４】
本実施形態の取付部１２は、人工唇１１をリード３の外側面１０ｂ側から覆うカバー部２１を含む。カバー部２１は、演奏者の唇が人工唇１１に触れることを防ぐ。また、本実施形態のカバー部２１は、演奏者の唇がリード３に触れることも防ぐ。本実施形態において、カバー部２１は、取付部１２のうち押付部２０の要部をなす部位によって構成されている。すなわち、押付部２０が人工唇１１をリード３の外側面１０ｂ側から覆っている。
【００２５】
以上のように構成される本実施形態のマウスピース１及びアタッチメント４によれば、人工唇１１を外側面１０ｂの適切な位置や範囲に接触させることができる。また、人工唇１１の弾性を利用することでリード３の振動部９を適切に振動させることができる。また、人工唇１１の粘性を利用することでリード３の振動部９の振動を適切に減衰させることができる。
したがって、初心者等であっても容易にリード楽器を演奏することが可能となる。
【００２６】
本実施形態のマウスピース１及びアタッチメント４は、人工唇１１をリード３の振動部９に押し付ける押付部２０を含んでいる。このため、押付部２０によってリード３の振動部９に対する人工唇１１の適切な押付力を設定できる。具体的には、押付部２０によって人工唇１１を一定の押付力でリード３の振動部９に押し付けることができる。また、リード３の振動部９が一定の押付力でリード３の振動部９に押し付けられることで、リード３の振動部９をマウスピース本体２に近づける方向に変位する変位量を一定とすることが可能となる。
人工唇１１をリード３の振動部９に押し付ける押付力やこれに伴うリード３の振動部９の変位を適切に設定できるため、初心者等の演奏者は、リード３の振動部９に対する押付力やリード３の振動部９の変位を演奏者自身の口で調整しなくても、容易に演奏することができる。
【００２７】
上記した押付部２０の押付力は、演奏時におけるリード３（振動部９）の振動状態に影響する。例えば、押付部２０による押付力が大きい場合には、押付力による人工唇１１の圧縮量が大きくなり、人工唇１１が比較的硬い状態となる。このため、人工唇１１の粘性によるリード３の振動の減衰率が小さくなる。逆に、押付部２０による押付力が小さい場合には、押付力による人工唇１１の圧縮量が小さくなり、人工唇１１は比較的柔らかい状態となる。このため、人工唇１１の粘性によるリード３の振動の減衰率は大きくなる。
【００２８】
本実施形態のマウスピース１及びアタッチメント４は、人工唇１１をリード３の外側面１０ｂ側から覆うカバー部２１を含んでいる。このため、演奏者がマウスピース１を咥えた際には、演奏者の唇と人工唇１１との間にカバー部２１が介在する。これにより、演奏者がマウスピース１を咥える力が、不意に人工唇１１及びリード３に伝わることを抑制又は防止し、押付部２０によって安定した力又は一定の力で人工唇１１をリード３に押し付けることができる。
【００２９】
本実施形態のアタッチメント４によれば、取付部１２をマウスピース本体２に対して着脱するだけで、人工唇１１をマウスピース本体２に取り付けられたリード３の外側面１０ｂに対して容易に着脱することができる。
また、取付部１２をマウスピース本体２から取り外すことで、人工唇１１を取付部１２に対して簡単に取り付けたり取り外したりできるため、人工唇１１の交換を容易に行うことができる。
また、取付部１２をマウスピース本体２から取り外した状態では、従来と同様にリード３をマウスピース本体２に対して取り付けたり取り外したりすることができる。すなわち、人工唇１１を設けても、リード３の交換容易性を阻害することがない。
【００３０】
〔第二実施形態〕
次に、図２を参照して本発明の第二実施形態について説明する。本実施形態は、第一実施形態と比較して押付部の構成のみが異なり、他の構成については同様である。本実施形態では、第一実施形態と同様の構成要素について同一符号を付す等して、その説明を省略する。
【００３１】
図２に示すように、本実施形態に係るマウスピース１Ａは、第一実施形態と同様に、マウスピース本体２と、リード３と、アタッチメント４Ａと、を備える。本実施形態のアタッチメント４Ａは、第一実施形態と同様の筒状に形成された取付部１２Ａを有する。
ただし、本実施形態において、取付部１２Ａに含まれる押付部２０Ａは、人工唇１１の互いに異なる部分を、互いに異なる押付力でリード３の振動部９に押し付ける複数の分割押付部２２Ａ，２３Ａ，２４Ａによって構成されている。
【００３２】
本実施形態において、複数の分割押付部２２Ａ，２３Ａ，２４Ａは、押付部２０Ａを構成する収容凹部１５Ａの深さ方向において底面１６Ａの高さ位置を異ならせることで構成されている。具体的に、収容凹部１５Ａの底面１６Ａは、リード３の振動部９の長手方向に順番に配列された第一底面部２５Ａ、第二底面部２６Ａ及び第三底面部２７Ａを有している。第二底面部２６Ａは、収容凹部１５Ａの深さ方向において第一、第三底面部２５Ａ，２７Ａよりも高く位置する。これら三つの底面部２５Ａ，２６Ａ，２７Ａをなす各部位が、各分割押付部２２Ａ，２３Ａ，２４Ａを構成している。すなわち、第一底面部２５Ａをなす部位は第一分割押付部２２Ａを構成している。同様に、第二、第三底面部２６Ａ，２７Ａをなす各部位が第二、第三分割押付部２３Ａ，２４Ａを構成している。
【００３３】
本実施形態において、第一底面部２５Ａや第三底面部２７Ａをなす部位は、取付部１２Ａに一体に形成されている。第二底面部２６Ａをなす部位は、例えば取付部１２Ａに一体に形成されてもよいが、本実施形態では取付部１２Ａとは別の支持部材２８Ａによって構成されている。支持部材２８Ａは、人工唇１１の一部をリード３の外側面１０ｂ側から支持し、取付部１２Ａに対して着脱自在である。
【００３４】
以上のように構成される本実施形態のマウスピース１Ａ及びアタッチメント４Ａにおいて、人工唇１１のうち第二分割押付部２３Ａによってリード３に押し付けられる部分は、第一、第三分割押付部２２Ａ，２４Ａによってリード３に押し付けられる人工唇１１の部分と比較して、より大きな押付力でリード３の振動部９に押し付けられる。このため、第二分割押付部２３Ａによってリード３に押し付けられた人工唇１１の部分は、第一、第三分割押付部２２Ａ，２４Ａによってリード３に押し付けられた人工唇１１の部分よりも大きく圧縮され、より硬い状態となる。このため、第二分割押付部２３Ａによってリード３に押し付けられた人工唇１１の部分においては、人工唇１１の粘性によるリード３の振動の減衰率が小さくなる。
一方、第一、第三分割押付部２２Ａ，２４Ａによってリード３に押し付けられた人工唇１１の部分の圧縮は比較的小さい。このため、第一、第三分割押付部２２Ａ，２４Ａによってリード３に押し付けられた人工唇１１の部分においては、人工唇１１の粘性によるリード３の振動の減衰率が大きい。
【００３５】
また、本実施形態のマウスピース１Ａ及びアタッチメント４Ａにおいては、押付部２０Ａが第一、第三分割押付部２２Ａ，２４Ａのみ有する場合と比較して、第二分割押付部２３Ａの強い押付力によって、リード３の振動部９をマウスピース本体２に向けてより大きく変位する。
このように人工唇１１をリード３の押し付ける状態は、演奏者がリード３に触れる唇の一部を歯で押し付ける状態と似ている。
【００３６】
本実施形態のマウスピース１Ａ及びアタッチメント４Ａによれば、第一実施形態と同様の効果を奏する。
また、本実施形態のマウスピース１Ａ及びアタッチメント４Ａによれば、人工唇１１の一部分が一部の分割押付部２３Ａ（第二分割押付部２３Ａ）によって強い押付力でリード３に押し付けられるため、リード３を確実かつ十分に変位させることができる。さらに、人工唇１１の他の部分が他の分割押付部２２Ａ，２４Ａ（第一、第三分割押付部２２Ａ，２４Ａ）によって弱い押付力でリード３に押し付けられるため、リード３の振動に対して大きな減衰を与えることができる。したがって、リード楽器をさらに容易に演奏することが可能となる。例えば、マウスピース１Ａに吹き込む息が弱くても、リード楽器を容易に演奏することができる。
【００３７】
本実施形態のマウスピース１Ａ及びアタッチメント４Ａによれば、例えば、第一、第三底面部２５Ａ，２７Ａにおける収容凹部１５Ａの深さ寸法、及び、第二底面部２６Ａにおける収容凹部１５Ａの深さ寸法をそれぞれ適切に設定することで、第一実施形態の構成と比較して、リード楽器をさらに容易に演奏することができる。
具体的に、第二底面部２６Ａにおける収容凹部１５Ａの深さ寸法は、例えば第一実施形態における収容凹部１５の深さ寸法よりも小さく設定されるとよい。この場合には、第一実施形態の構成と比較して人工唇１１の圧縮が大きくなるため、リード３をより好適に振動させることができる。また、第一、第三底面部２５Ａ，２７Ａにおける収容凹部１５Ａの深さ寸法は、例えば第一実施形態における収容凹部１５の深さ寸法よりも大きく設定されるとよい。この場合には、第一実施形態の構成と比較して人工唇１１の圧縮が小さくなるため、リード３の振動に対してより大きな減衰を与えることができる。
【００３８】
本実施形態のマウスピース１Ａ及びアタッチメント４Ａによれば、第二分割押付部２３Ａを構成する支持部材２８Ａが取付部１２Ａに対して着脱自在である。このため、第一、第三底面部２５Ａ，２７Ａに対する第二底面部２６Ａの高低差が異なる複数種類の支持部材２８Ａを交換することで、第二分割押付部２３Ａによるリード３の変位量を適宜調整することができる。
【００３９】
上記第二実施形態において、分割押付部の数は三つに設定されているが、例えば二つであってもよいし、四つ以上であってもよい。
【００４０】
〔第三実施形態〕
次に、図３を参照して本発明の第三実施形態について説明する。本実施形態は、第一実施形態と比較して、押付部の構成のみが異なり、他の構成については同様である。本実施形態では、第一実施形態と同様の構成要素について同一符号を付す等して、その説明を省略する。
【００４１】
図３に示すように、本実施形態に係るマウスピース１Ｂは、第一実施形態と同様に、マウスピース本体２と、リード３と、アタッチメント４Ｂと、を備える。本実施形態のアタッチメント４Ｂは、第一実施形態と同様の筒状に形成された取付部１２Ｂを有する。
ただし、本実施形態において、取付部１２Ｂに含まれる押付部２０Ｂは、人工唇１１をリード３に押し付ける押付力を調整する調整部３０Ｂを備える。
【００４２】
本実施形態において、調整部３０Ｂは、収容凹部１５の底面１６に配され、人工唇１１を支持する板状の支持部材３１Ｂと、収容凹部１５の底面１６をなす部位（カバー部２１）に設けられた調整ねじ３２Ｂと、を備える。
支持部材３１Ｂは、収容凹部１５の底面１６全体を覆うように配されているが、底面１６に固定されていない。調整ねじ３２Ｂは、カバー部２１を貫通するねじ孔３３Ｂに噛み合う雄ネジを有する。調整ねじ３２Ｂは、これを回転させることで、収容凹部１５の底面１６に対して出没する。
【００４３】
この構成において、例えば、調整ねじ３２Ｂを回転させて収容凹部１５の底面１６から突出する調整ねじ３２Ｂの長さが長くなると、支持部材３１Ｂとリード３の外側面１０ｂとの間隔が小さくなる。このため、押付部２０Ｂによって人工唇１１をリード３に押し付ける押付力が大きくなる。また、押付部２０Ｂによる人工唇１１の圧縮量が大きくなったり、リード３の振動部９がマウスピース本体２に近づく方向に変位したりする。
一方、調整ねじ３２Ｂを回転させて収容凹部１５の底面１６から突出する調整ねじ３２Ｂの長さが短くなると、支持部材３１Ｂとリード３の外側面１０ｂとの間隔が大きくなる。このため、押付部２０Ｂによって人工唇１１をリード３に押し付ける押付力が小さくなる。また、押付部２０Ｂによる人工唇１１の圧縮量が小さくなったり、リード３の振動部９がマウスピース本体２から離れる方向に変位したりする。
【００４４】
本実施形態では、調整ねじ３２Ｂが収容凹部１５の底面１６から突出していない状態であっても、第一実施形態の場合と同様に、人工唇１１がリード３の振動部９に押し付けられるように、収容凹部１５の深さ寸法、人工唇１１及び支持部材３１Ｂの厚さ寸法が設定されている。このため、調整ねじ３２Ｂが収容凹部１５の底面１６から突出していなくても、演奏者はリード楽器を演奏することができる。
【００４５】
本実施形態のマウスピース１Ｂ及びアタッチメント４Ｂによれば、第一実施形態と同様の効果を奏する。
また、本実施形態のマウスピース１Ｂ及びアタッチメント４Ｂでは、調整部３０Ｂによってリード３に対する人工唇１１の押付力を調整できる。人工唇１１の押付力が変化すると、人工唇１１の圧縮量やマウスピース本体２に対するリード３の振動部９の位置が変位する。これにより、リード３の振動特性やリード３の振動の減衰特性が変化し、リード楽器における音色や音高（ピッチ）を変化させることができる。
また、本実施形態のマウスピース１Ｂ及びアタッチメント４Ｂによれば、演奏者等が操作可能な調整ねじ３２Ｂを回転させるだけで、リード楽器の音色や音高を簡単に変化させることができる。
【００４６】
上記第三実施形態の調整部３０Ｂは、第二実施形態のマウスピース１Ａ及びアタッチメント４Ａ（図２参照）に適用可能である。例えば、第三実施形態の調整ねじ３２Ｂによって、第二実施形態の支持部材２８Ａを収容凹部１５Ａの深さ方向に移動させてもよい。第二実施形態においては、例えば一部の分割押付部だけが調整部３０Ｂを備えてもよいし、全ての分割押付部がそれぞれ調整部３０Ｂを備えてもよい。
【００４７】
〔第四実施形態〕
次に、図４を参照して本発明の第四実施形態について説明する。本実施形態は、第三実施形態と比較して調整部の構成のみが異なり、他の構成については同様である。本実施形態では、第三実施形態と同様の構成要素について同一符号を付す等して、その説明を省略する。
【００４８】
図４に示すように本実施形態に係るマウスピース１Ｃは、第一〜第三実施形態と同様に、マウスピース本体２と、リード３と、アタッチメント４Ｃと、を備える。本実施形態のアタッチメント４Ｃの取付部１２Ｃに含まれる押付部２０Ｃは、第三実施形態と同様に、人工唇１１をリード３に押し付ける押付力を調整する調整部３０Ｃを備える。
【００４９】
本実施形態において、調整部３０Ｃは、演奏者の唇又は歯によって前記押付力を調整操作する操作部３５Ｃを備える。具体的に、操作部３５Ｃは、第三実施形態と同様の支持部材３６Ｃと、収容凹部１５の底面１６をなす部位（カバー部２１）に挿通され、カバー部２１の外側に突出する操作子３７Ｃと、を備える。
操作子３７Ｃの長手方向の第一端部は、支持部材３６Ｃに固定されている。操作子３７Ｃの長手方向の第二端部は、カバー部２１の外側に位置する。操作子３７Ｃは、例えば単純な棒状に形成されてもよい。本実施形態では、操作子３７Ｃの第二端部が、操作子３７Ｃの他の部分よりも径寸法が大きい板状に形成されている。
【００５０】
この構成において、人工唇１１をリード３に押し付ける押付力を変化させる際には、例えば、演奏者が自身の唇や歯を操作子３７Ｃの第二端部に押し付ければよい。これにより、支持部材３６Ｃとリード３の外側面１０ｂとの間隔が小さくなり、人工唇１１をリード３に押し付ける押付力が増加する。また、押付部２０Ｃによる人工唇１１の圧縮量が大きくなったり、リード３の振動部９がマウスピース本体２に近づく方向に変位したりする。
また、操作子３７Ｃの第二端部に対する演奏者の唇や歯の押し付け力を弱めることで、支持部材３６Ｃとリード３の外側面１０ｂとの間隔が大きくなり、人工唇１１をリード３に押し付ける押付力が減少する。また、押付部２０Ｃによる人工唇１１の圧縮量が小さくなったり、リード３の振動部９がマウスピース本体２から離れる方向に変位したりする。
【００５１】
本実施形態では、操作子３７Ｃが演奏者の唇や歯によって押されていなくても、第一実施形態の場合と同様に、人工唇１１がリード３の振動部９に押し付けられるように、収容凹部１５の深さ寸法、人工唇１１及び支持部材３６Ｃの厚さ寸法が設定されている。このため、操作子３７Ｃが演奏者の唇や歯によって押されていない状態でも、演奏者はリード楽器を演奏することができる。
【００５２】
本実施形態のマウスピース１Ｃ及びアタッチメント４Ｃによれば、第三実施形態と同様の効果を奏する。
また、本実施形態のマウスピース１Ｃ及びアタッチメント４Ｃでは、演奏者の唇又は歯によって調整部３０Ｃの操作部３５Ｃを操作することで、人工唇１１をリード３に押し付ける押付力を変化させることができる。このため、演奏者はリード楽器の演奏中に、リード３の振動特性やリード３の振動の減衰特性を連続的に変化させることができる。したがって、ベント演奏やビブラート演奏など、表現豊かな演奏が可能となる。
【００５３】
また、本実施形態のマウスピース１Ｃ及びアタッチメント４Ｃによれば、演奏者の唇や歯が接触する操作子３７Ｃの第二端部が、操作子３７Ｃの他の部分よりも径寸法が大きい板状に形成されている。このため、操作子３７Ｃを演奏者の唇や歯によって容易に操作することができる。
【００５４】
上記第四実施形態の調整部３０Ｃは、例えば第三実施形態の調整ねじ３２Ｂ（図３参照）を備えてもよい。
上記第四実施形態の調整部３０Ｃは、第二実施形態のマウスピース１Ａ及びアタッチメント４Ａ（図２参照）に適用可能である。例えば、第四実施形態の操作子３７Ｃは、第二実施形態の支持部材２８Ａに固定されてもよい。
【００５５】
以上、本発明について詳細に説明したが、本発明は上記実施形態に限定されるものではなく、本発明の趣旨を逸脱しない範囲において種々の変更を加えることが可能である。
【００５６】
本発明のアタッチメントにおいては、例えば図５，６に示すように、取付部１２Ｄが、マウスピース本体２の第二端部６のうち両方の側部６Ｓ、及び、マウスピース本体２の第二端部６の下部に配されたリード３の振動部９を覆う形状（例えばリード３の長手方向から見てＣ字状）に形成されてもよい。すなわち、取付部１２Ｄは、マウスピース本体２の第二端部６の上部を覆わなくてもよい。
図５，６に例示するアタッチメント４Ｄにおいて、取付部１２Ｄには、上記実施形態と同様の収容凹部１５が形成され、この収容凹部１５に人工唇１１が収容されている。
【００５７】
図５，６に例示するマウスピース１Ｄでは、例えば、マウスピース本体２の両方の側部６Ｓに、係止部が設けられ、マウスピース本体２の両方の側部６Ｓに対応する取付部１２Ｄの両方の側部１２Ｓに、係止部に係止する被係止部が設けられてもよい。ここで、係止部及び被係止部の一方は、例えばマウスピース本体２の長手方向（図５，６において左右方向）に延びる凸部であってもよい。この場合、係止部及び被係止部の他方は、マウスピース本体２の長手方向に延びて凸部が挿入される凹溝であればよい。これにより、取付部１２Ｄをマウスピース本体２に対して着脱することができる。
【００５８】
図５，６に例示するマウスピース１Ｄ及びアタッチメント４Ｄでは、上記実施形態と同様に、取付部１２Ｄのうち収容凹部１５を形成した部位が、人工唇１１をリード３に押し付ける押付部２０、及び、人工唇１１をリード３の外側面１０ｂ側から覆うカバー部２１として構成されている。図５，６に例示するマウスピース１Ｄ及びアタッチメント４Ｄには、第二実施形態の押付部２０Ａ（図２参照）や、第三、第四実施形態の調整部３０Ｂ，３０Ｃ（図３，４参照）を適用することができる。
したがって、図５，６に例示するマウスピース１Ｄであっても、上記実施形態と同様の効果を奏する。
【００５９】
また、図５，６に例示するマウスピース１Ｄ及びアタッチメント４Ｄでは、上記実施形態と比較して、演奏者が口で咥える部分の大きさを小さくなる。このため、演奏者は人工唇１１を備えるマウスピース１Ｄを、アタッチメント４Ｄのない従来のマウスピースと近い感覚で、咥えることができる。
【００６０】
本発明のマウスピースにおいては、例えば、取付部がマウスピース本体に一体に形成されてもよい。この構成では、マウスピース本体と、取付部のうちマウスピース本体の第二端部に対向する部位（収容凹部が形成された取付部の部位）との隙間が、マウスピースの長手方向においてマウスピース本体の第一端部側に開口する。
【００６１】
上記のマウスピースは、例えば以下の手順で組み立てることができる。はじめに、人工唇を、マウスピース本体の第一端部側からマウスピース本体内に挿入して収容凹部に収容する。次いで、リードの振動部をマウスピース本体の第二端部と取付部との隙間に挿入する。これにより、リードの固定部がマウスピース本体の第一端部に位置する。最後に、リードの固定部をリガチャーによってマウスピース本体に固定することで、マウスピースの組み立てが完了する。
取付部をマウスピース本体に一体に形成したマウスピースは、上記のように組み立てることができるため、人工唇やリードの交換を行うことができる。
【００６２】
本発明のマウスピース及びアタッチメントは、例えば図７に示すように、ダブルリードのリード楽器に用いるマウスピース１Ｅにも適用可能である。
図７に例示するマウスピース１Ｅは、筒状に形成された本体筒部２Ｅと、本体筒部２Ｅに取り付けられた二枚のリード３Ｅ，３Ｅと、本体筒部２Ｅに取り付けられたアタッチメント４Ｅと、を備える。
本体筒部２Ｅは、従来のダブルリードのマウスピースと同様であり、チューブ５１Ｅと、チューブ５１Ｅの軸方向の第一端部５３Ｅの外周に設けられたコルク部５２Ｅと、を備える。
【００６３】
二枚のリード３Ｅ，３Ｅは、従来のダブルリードのマウスピースと同様であり、それぞれチューブ５１Ｅの第二端部５４Ｅに対して糸５５Ｅによって固定される固定部８Ｅと、固定部８Ｅから延びて形成された振動部９Ｅと、を有する。
各リード３Ｅの振動部９Ｅは、チューブ５１Ｅの第二端部５４Ｅからチューブ５１Ｅの軸方向に突出して位置する。二枚のリード３Ｅ，３Ｅの振動部９Ｅ，９Ｅは、チューブ５１Ｅの軸方向に直交する方向に配列されている。二枚のリード３Ｅ，３Ｅの振動部９Ｅ，９Ｅの板厚方向の一方の面（内側面１０ａＥ，１０ａＥ）は、互いに対向している。各リード３Ｅの振動部９Ｅにおいて内側面１０ａＥと反対側に向く面は、マウスピース１Ｅの外側を向く外側面１０ｂＥである。
【００６４】
アタッチメント４Ｅは、上記実施形態と同様の人工唇１１Ｅ及び取付部１２Ｅを備える。
人工唇１１Ｅは、各リード３Ｅの振動部９Ｅの外側面１０ｂＥに接触している。取付部１２Ｅは、人工唇１１Ｅを保持し、人工唇１１Ｅがリード３Ｅ，３Ｅの外側面１０ｂＥに接触するように、本体筒部２Ｅに対して着脱自在に取り付けられている。図示例の取付部１２Ｅは、筒状に形成され、取付部１２Ｅの軸方向の第一端部の内側にコルク部５２Ｅが嵌ることで本体筒部２Ｅに取り付けられているが、例えば本体筒部２Ｅに一体に形成されてもよい。
【００６５】
人工唇１１Ｅは、取付部１２Ｅの軸方向の第二端部の内周に保持されている。取付部１２Ｅの内周には、例えば上記実施形態と同様の収容凹部が形成されてもよいし、例えば接着等によって人工唇１１Ｅが固定されてもよい。
【００６６】
図７に例示するマウスピース１Ｅ及びアタッチメント４Ｅでは、取付部１２Ｅのうち人工唇１１Ｅを保持する部位が、人工唇１１Ｅをリード３Ｅに押し付ける押付部２０Ｅ、及び、人工唇１１Ｅをリード３Ｅ，３Ｅの外側面１０ｂＥ側から覆うカバー部２１Ｅとして構成されている。図７に例示するマウスピース１Ｅ及びアタッチメント４Ｅには、第二実施形態の押付部２０Ａや、第三、第四実施形態の調整部３０Ｂ，３０Ｃを適用することができる。
したがって、図７に例示するマウスピース１Ｅであっても、上記実施形態と同様の効果を奏する。
【００６７】
本発明のマウスピース及びアタッチメントにおいて、人工唇をリードに押し付ける押付部は、例えば本体筒部に取り付けられる板ばね等の弾性部材によって構成されてもよい。
【００６８】
本発明のマウスピース及びアタッチメントにおいて、押付部及びカバー部は別個に設けられてもよい。例えば押付部が前述した弾性部材である場合、カバー部は、人工唇及び弾性部材（押付部）の両方をリードの外側面側から覆ってもよい。
【００６９】
本発明のマウスピース及びアタッチメントは、少なくとも人工唇をリードの外側面の適切な位置や範囲に接触させるように構成されればよい。すなわち、本発明のマウスピース及びアタッチメントは、例えば人工唇をリードの外側面側から覆うカバー部や押付部を備えなくてもよい。また、本発明のマウスピースでは、例えば人工唇がリードの外側面に接着等によって固定されてもよい。
このような構成であっても、リード楽器の演奏に際して押えるべきリードの外側面の適切な位置や範囲を、リードに接触している人工唇によって設定できる。このため、演奏者は、演奏時に人工唇を唇や歯で押えるだけで、リード外面の適切な位置、適切な範囲を押すことができる。したがって、初心者等であっても容易にリード楽器を演奏することができる。
【符号の説明】
【００７０】
１，１Ａ，１Ｂ，１Ｃ，１Ｄ，１Ｅ…マウスピース、２…マウスピース本体（本体筒部）、２Ｅ…本体筒部、３，３Ｅ…リード、４，４Ａ，４Ｂ，４Ｃ，４Ｄ，４Ｅ…アタッチメント、９，９Ｅ…振動部、１０ａ，１０ａＥ…内側面、１０ｂ，１０ｂＥ…外側面、１１，１１Ｅ…人工唇、１２，１２Ａ，１２Ｂ，１２Ｃ，１２Ｄ，１２Ｅ…取付部、２０，２０Ａ，２０Ｂ，２０Ｃ，２０Ｅ…押付部、２１，２１Ｅ…カバー部、２２Ａ，２３Ａ，２４Ａ…分割押付部、３０Ｂ，３０Ｃ…調整部、３５Ｃ…操作部
【図１】
0006690330.tif 000002
【図２】
0006690330.tif 000003
【図３】
0006690330.tif 000004
【図４】
0006690330.tif 000005
【図５】
0006690330.tif 000006
【図６】
0006690330.tif 000007
【図７】
0006690330.tif 000008